(57)【要約】    【課題】  バックスピン量を低下させて飛距離を増大させる。    【解決手段】  ボールを打撃するフェース面２を含むフェース部３を具えたゴルフクラブヘッド１である。フェース面２の少なくとも一部に、フェース面２と垂直方向の剛性である垂直剛性よりも、フェース面と平行かつクラウン−ソール方向の剛性であるせん断剛性を小さくしたせん断剛性低下部９が設けられる。【選択図】  図１
2005270321.tif 000002
【特許請求の範囲】
【請求項１】
ボールを打撃するフェース部を具えたゴルフクラブヘッドであって、
前記フェース部の少なくとも一部に、フェース面と垂直方向の剛性である垂直剛性よりも、フェース面と平行かつクラウン−ソール方向の剛性である上下せん断剛性が小さいせん断剛性低下部が設けられたことを特徴とするゴルフクラブヘッド。
【請求項２】
ボールを打撃するフェース部を具えたゴルフクラブヘッドであって、
前記フェース部に、前面がフェース面の少なくとも一部を構成する打撃板が設けられてなり、
かつ該打撃板は、クラウン部、ソール部、前記クラウン部と前記ソール部との間を継ぐサイド部、及び前記クラウン部とソール部とサイド部との各前縁と一体をなすフェース基部を有するヘッド本体の前記フェース基部に、継ぎ部材を介してクラウン−ソール方向に変位可能に支持されたことを特徴とするゴルフクラブヘッド。
【請求項３】
前記打撃板は、前記フェース基部と非接触に支持されていることを特徴とする請求項２記載のゴルフクラブヘッド。
【請求項４】
前記フェース基部は、ヘッド内方へ凹む凹部と、この凹部に周囲に設けられた縁部とを含むとともに、前記打撃板はその前面を前記縁部の前面に揃えて前記凹部に配されたことを特徴とする請求項２又は３に記載のゴルフクラブヘッド。
【請求項５】
前記継ぎ部材は、前記打撃板と前記フェース基部との間をトウ−ヒール方向にのびかつクラウン−ソール方向に隔設された複数本のリブ状体を含むことを特徴とする請求項２乃至４のいずれかに記載のゴルフクラブヘッド。
【請求項６】
前記継ぎ部材は、前記打撃板と前記フェース基部との間隙に実質的に等しい外径を有する複数個の球体と、前記間隙に満たされ前記複数個の球体を連結する弾性材からなる保持体とを含むことを特徴とする請求項２乃至４のいずれかに記載のゴルフクラブヘッド。
【請求項７】
ボールを打撃するフェース部を具えたゴルフクラブヘッドを設計するゴルフクラブヘッドの設計方法であって、
フェース面と垂直方向の剛性である垂直剛性よりも、フェース面と平行かつクラウン−ソール方向の剛性である上下せん断剛性が小さくなるように設計したことを特徴とするゴルフクラブヘッドの設計方法。
【発明の詳細な説明】
【技術分野】
【０００１】
本発明は、ボールの打ち出し角度を大きくし、かつバックスピン量を低下させて飛距離を増大させるのに役立つゴルフクラブヘッド及びその設計方法に関する。
【背景技術】
【０００２】
従来より、打球の飛距離の向上を目指したゴルフクラブヘッドの開発が種々行われている。現在、打球をより遠くに飛ばすためには、第一にフェース面から打ち出されたボールの初速を高めること、第二にボールの打ち出し角を大きくしかつバックスピン量を減らすことが有効と考えられている。なお後者のものは、飛距離が伸びない原因として、打球のバックスピン量が多く、その結果、ボールが高く上がりすぎるいわゆる吹け上がりが生じていることを前提としている。
【０００３】
フェース面から打ち出されたボールの初速を高める（言い換えれば、ヘッドの反発係数を高める）には、フェース部のフェース面に対して垂直方向の剛性である垂直剛性を低下させることが有効である。フェース部の垂直剛性が低下すると、ヘッドの周波数伝達関数における一次の極小値を示す周波数がボールのそれに近似し、この結果、ヘッドの運動エネルギーがボールに効率良く伝達される。これはインピーダンスマッチング理論として知られており、例えば下記特許文献１に詳しく述べられている。
【０００４】
フェース部の垂直剛性を低下させるために、強度を損ねない範囲でフェース部の厚さを薄くすることや、弾性率の小さい材料をフェース部に用いること等の試みがなされている。しかしながら、現在の技術水準ではこれらの改善手法もほぼ限界に達しつつある。
【０００５】
またボールの打ち出し角を大きくしかつバックスピン量を減らすためには、一般にヘッドの低重心化が有効と考えられている。重心が低いヘッドは、スイートスポットがフェース面のより下方に位置する。言い換えれば、フェース面においてスイートスポットよりも上側の領域が広くなる。このため、ゴルファは、フェース面のスイートスポットよりも上部側でボールを打撃し易くなり、その結果、ボールには縦方向のギア効果が作用して打ち出し角が大きくかつバックスピン量が低減する。
【０００６】
【特許文献１】特開平４−５６６３０号公報
【発明の開示】
【発明が解決しようとする課題】
【０００７】
しかしながら、飛距離向上に対するゴルファの要求は尽きることが無く、さらなる改善が望まれている。本発明は、このような実情に鑑み案出なされたもので、フェース面の少なくとも一部に、フェース面と垂直方向の剛性である垂直剛性よりも、フェース面と平行かつクラウン−ソール方向の剛性である上下せん断剛性が小さいせん断剛性低下打撃部を設けることを基本として、従来とは異なる手法により打球の飛距離を向上しうるゴルフクラブヘッド及びその設計方法を提供することを目的としている。
【課題を解決するための手段】
【０００８】
本発明のうち請求項１記載の発明は、ボールを打撃するフェース部を具えたゴルフクラブヘッドであって、前記フェース部の少なくとも一部に、フェース面と垂直方向の剛性である垂直剛性よりも、フェース面と平行かつクラウン−ソール方向の剛性である上下せん断剛性が小さいせん断剛性低下部が設けられたことを特徴としている。
【０００９】
また請求項２記載の発明は、ボールを打撃するフェース部を具えたゴルフクラブヘッドであって、前記フェース部に、前面がフェース面の少なくとも一部を構成する打撃板が設けられてなり、かつ該打撃板は、クラウン部、ソール部、前記クラウン部と前記ソール部との間を継ぐサイド部、及び前記クラウン部とソール部とサイド部との各前縁と一体をなすフェース基部を有するヘッド本体の前記フェース基部に、継ぎ部材を介してクラウン−ソール方向に変位可能に支持されたことを特徴とするゴルフクラブヘッドである。
【００１０】
また請求項３記載の発明は、前記打撃板は、前記フェース基部と非接触に支持されていることを特徴とする請求項２記載のゴルフクラブヘッドである。
【００１１】
また請求項４記載の発明は、前記フェース基部は、ヘッド内方へ凹む凹部と、この凹部に周囲に設けられた縁部とを含むとともに、前記打撃板はその前面を前記縁部の前面に揃えて前記凹部に配されたことを特徴とする請求項２又は３に記載のゴルフクラブヘッドである。
【００１２】
また請求項５記載の発明は、前記継ぎ部材は、前記打撃板と前記フェース基部との間をトウ−ヒール方向にのびかつクラウン−ソール方向に隔設された複数本のリブ状体を含むことを特徴とする請求項２乃至４のいずれかに記載のゴルフクラブヘッドである。
【００１３】
また請求項６記載の発明は、前記継ぎ部材は、前記打撃板と前記フェース基部との間隙に実質的に等しい外径を有する複数個の球体と、前記間隙に満たされ前記複数個の球体を連結する弾性材からなる保持体とを含むことを特徴とする請求項２乃至４のいずれかに記載のゴルフクラブヘッドである。
【００１４】
また請求項７記載の発明は、ボールを打撃するフェース部を具えたゴルフクラブヘッドを設計するゴルフクラブヘッドの設計方法であって、フェース面と垂直方向の剛性である垂直剛性よりも、フェース面と平行かつクラウン−ソール方向の剛性である上下せん断剛性が小さくなるように設計したことを特徴としている。
【発明の効果】
【００１５】
本発明では、フェース面の少なくとも一部に、フェース面に対して垂直方向の剛性である垂直剛性よりも、フェース面に対して平行かつクラウン−ソール方向の剛性である上下せん断剛性が小さいせん断剛性低下部が設けられる。このようなせん断剛性低下部は、ボール打撃時において垂直方向の撓みに比して上下せん断方向へと大きく撓むことができる。このような作用は、ボールのバックスピン量を低減させる。従って、打球の吹け上がりが防止され飛距離がのびる。
【発明を実施するための最良の形態】
【００１６】
以下、本発明の実施の一形態を図面に基づき説明する。
図１は本実施形態のゴルフクラブヘッド１を規定のライ角及びロフト角（リアルロフト角）の保持して水平面に接地させた基準状態の全体斜視図、図２はその縦断面図、図３は図２の部分拡大図がそれぞれ示されている。
【００１７】
本実施形態のゴルフクラブヘッド（以下、単に「ヘッド」ということがある。）１は、ボールを打撃する面であるフェース面２を有するフェース部３と、前記フェース部３に連なりヘッド上面をなすクラウン部４と、前記フェース部３に連なりヘッド底面をなすソール部５と、前記クラウン部４とソール部５との間を継ぎかつ前記フェース部３のトウ３ａからバックフェースを通りヒール３ｂに至ってのびるサイド部６と、クラウン部４のヒール側に設けられかつシャフト（図示せず）の一端が装着されるネック部７とを具え、内部に中空部ｉが設けられた金属材料からなるドライバー（＃１）又はフェアウェイウッドといったウッド型のものが例示されている。そして、本発明のヘッド１は、フェース部３の少なくとも一部に、フェース面２と垂直方向の剛性である垂直剛性よりも、フェース面２と平行かつクラウン−ソール方向の剛性である上下せん断剛性が小さいせん断剛性低下部９が設けられたことを特徴としている。
【００１８】
先ず、フェース部３にせん断剛性低下部９を設けることによって飛距離が増大する理由について述べる。図６に示されるように、ロフト角を有する例えばドライバー等のヘッド１でボールＢを打撃すると、フェース面２がボールＢを打撃する力Ｆは、フェース面２と垂直方向の垂直力Ｆａと、フェース面２と平行（正確にはボールとフェース面との接触点におけるフェース面２の接線方向）かつクラウン−ソール方向に沿った上下方向のせん断力Ｆｂとに分力でき、垂直力Ｆａはボールを飛球させる力として、またせん断力Ｆｂはボール水平軸周りのバックスピンを与える力としてそれぞれ作用する。
【００１９】
図７には、ヘッド１でボールＢを打撃したときの前記垂直力Ｆａと前記せん断力Ｆｂとの時刻暦が示される。破線は垂直力Ｆａを示し、３本の実線はせん断力Ｆｂを示す。せん断力については、ロフト角は同じであるがフェース面２の摩擦係数が大、中及び小の３種類のヘッドについての結果であり、それぞれ符号Ｆｂ１、Ｆｂ２及びＦｂ３で示されている。また正（＋）のせん断力は、ボールにバックスピンをかける方向に働き、負（−）のせん断力はそれとは逆向き（トップスピン方向）に働くことを示している。
【００２０】
先ず垂直力Ｆａは、打撃後、放物線状に滑らかに上昇してピークに達した後、滑らかに減少して０になる。垂直力が０になったときに、ボールはフェース面２から離れる。従って、せん断力も０となる。フェース面２の表面状態が異なっていても垂直力Ｆａは殆ど変化がない。これは、垂直力Ｆａ及び接触時間が、ボールとヘッドとの各垂直方向の剛性に依存しているためである。
【００２１】
しかしながら、せん断力Ｆｂの作用はフェース面２の摩擦係数によって著しく異なったものになる。ヘッドのロフト角が例えば５゜以上かつ３５゜よりも小の場合、一般的な摩擦係数を持ったフェース面２でボールＢを打撃すると、該ボールＢに作用するせん断力Ｆｂ１、Ｆｂ２は、一旦バックスピンをかけようとする正の方向に働いた後、これとは逆にバックスピンを止めようとする負の方向へと変化する。打ち出されたボールのバックスピン量は、正のせん断力の時間積分（力積に相当）と、負のせん断力の時間積分との差にほぼ比例したものになることがシミュレーション及び実験の結果確かめられている。
【００２２】
また、フェース面２の摩擦係数が大きくなると、ボールＢとフェース面２との接触初期の滑りが小さくなる。これは、図７にせん断力Ｆｂ１で示されるように、ボールＢにバックスピンをかけようとする正のせん断力のピーク値が大きくなると同時に０になるまでの時間Ｔを小としうる。そして、そこから接触終了までの間にバックスピンを止めようとする負のせん断力が作用する。このため、負のせん断力の力積が大きくなり、ひいては打ち出しされるボールのバックスピン量を低減させる。
【００２３】
これに対し、フェース面２の摩擦係数が小さくなると、ボールＢとフェース面２との接触初期の滑りが大きくなる。滑りが大きくなると、図７にせん断力Ｆｂ３で示されるように、ボールＢにバックスピンをかけようとする力が殆ど大きくならず、かつ正のせん断力が０になるまでの前記時間Ｔを大とする。この結果、負のせん断力の力積はほとんど発生しないにもかかわらず、正のせん断力のピーク値自体が小さいため、結果としてボールのバックスピン量も少なくなる。
【００２４】
従って、ボールのバックスピン量を減らすためには、フェース面２の摩擦係数を従来に比して大きくすること、又はこれとは逆に小さくすれば良いが、これらにはいずれも実用上の製品としては限界があり、実用的な効果を得ることは難しい。本発明では、これらに鑑みて、上述のようにフェース部３の少なくとも一部に垂直剛性よりも上下せん断剛性が小さいせん断剛性低下部９を設けることで、あたかも摩擦係数を低めたかのようなせん断力の挙動を得ることができる。
【００２５】
即ち、図８に拡大して示されるように、フェース面２はボールＢの打撃の反作用として上向きのせん断力Ｆｂ’を受ける。せん断剛性低下部９は、上下せん断剛性が小さいため、そのせん断力の方向に従来に比してより大きく変位することができる。このようなせん断方向の変位は、ボールＢがフェース面上で動こうとする方向に合致するため、ボールＢはフェース面とともに動くことになり、ひいてはボールＢに作用するせん断力Ｆｂは、その立ち上がりが遅くなってフェース面２の摩擦係数を小さくした場合と同様の挙動を示す。つまり、打球時においてせん断剛性低下部９をボールＢの滑り方向に同期させこれに追随するように変位させることによってボールＢのバックスピン量を低減しうる。
【００２６】
なお打撃時におけるボールＢとフェース面２との接触時間は、ボールが同一の場合、フェース面２の垂直剛性により支配される。従って、上下せん断剛性のみならずフェース面２の垂直剛性も同時に低下させてしまうと、せん断力Ｆｂ１ないしＦｂ２のように符号が反転する挙動を示し、バックスピン量を低減させる効果は十分に得られない。
【００２７】
フェース部３において、特定部分の垂直剛性については、該特定部分に規定の大きさの垂直力を作用させるとともにその垂直方向の最大変位を垂直力で除した単位垂直力当たりの変位量として求めることができる。同様に、フェース部の特定部分の上下せん断剛性については、該特定部分に前記規定の大きさのせん断力を作用させ、該せん断方向の変位量をせん断力で除した単位せん断力当たりの変位量として得ることができる。
【００２８】
本発明のせん断剛性低下部９による上述の作用は、フェース面２の摩擦係数を従来の値と変えることなく得ることができし、摩擦係数の大小に拘わらず上述の作用を得ることができる。よって、フェース面２の摩擦係数を小さくする手段も併用しても良いのは言うまでもない。以下、このような作用を得るせん断剛性低下部９の具体的な構成のいくつかの例について述べる。
【００２９】
本実施形態のせん断剛性低下部９は、図１〜図３に示したように、前面がフェース面２の中央部２Ａを構成する矩形状の打撃板１０から構成されたものが示される。該打撃板１０は、ヘッド本体１１のフェース基部１２に継ぎ部材１３を介してクラウン−ソール方向に変位可能に支持される。
【００３０】
前記ヘッド本体１１は、前記クラウン部４、前記ソール部５、前記サイド部６及び前記フェース基部１２が一体に構成されている。フェース基部１２は、前記クラウン部４の前縁４ａと、ソール部５の前縁５ａと、サイド部６の前縁６ｂ（トウ側の前縁６ｂ１と、ヒール側の前縁６ｂ３とを含みいずれも図１に略示する。）とに連なり前記中空部ｉをフェース面側で閉じる壁状体からなるものが例示される。
【００３１】
また本実施形態のフェース基部１２は、そのほぼ中央部において、前記中空部ｉ側であるヘッド内方に段差を有して凹む凹部１２Ａと、この凹部１２Ａの周囲に設けられた縁部１２Ｂとを含んで構成されたものが例示される。前記凹部１２Ａは、略矩形状で形成されており、図３に示されるように、最も凹んだ面をなす底面１２Ａ１と、該底面１２Ａ１と縁部１２Ｂとの間を継ぐ四周の側壁面１２Ａ２とを含んでいる。またフェース基部１２の縁部１２Ｂは、その前面がフェース面２の周縁部２Ｂを構成している。
【００３２】
前記打撃板１０は、フェース基部１２の前記凹部１２Ａに継ぎ部材１３を介して配されている。打撃板１０の前面は、フェース基部１２の前記縁部１２Ｂの前面に実質的に揃えられて配されるのが望ましい。これにより、フェース面２に大きな段差が形成されるのを防止できる。また本実施形態の打撃板１０は、フェース基部１２の凹部１２Ａの底面１２Ａ１及び側壁面１２Ａ２と非接触の状態で支持されている。これにより、打撃板１０は、ヘッド本体１１に対して、少なくとも上下のせん断方向に対しての変位が許容される。また打撃面１０の前面は、本実施形態では、ロール及びバルジを形成する凸曲面として形成されたものが例示されるが、平面で形成することもできる。
【００３３】
本実施形態の継ぎ部材１３は、打撃板１０とフェース基部１２との間をトウ−ヒール方向にのびかつクラウン−ソール方向に隔設された複数本のリブ状体１４…を含んで構成されたものが示される。図３に示される断面において、各リブ状体１４はいずれも打撃板１０の前面（スェース面２の中央部２Ａ）から実質的に垂直方向にのびるものが例示される。またリブ状体１４は、打撃板１０の背面と、凹部１２Ａの底面１２Ａ１との間を継ぐ継ぎ長さＬよりも、該継ぎ長さＬと直角方向のリブ厚さｔが小さく構成されたものが例示される。
【００３４】
このようなリブ状体１４は、図４に示されるように、ボールＢの打球時において、垂直方向の力Ｆａの方向に対しては変形しにくい強い剛性を示す一方、せん断力Ｆｂに対してはせん断方向に変形しボールＢの滑り方向に追随する。従って、このような継ぎ部材１３は、打撃板１０を、垂直剛性よりも上下せん断剛性が小さいせん断剛性低下部９として機能させ得る。このため、打撃板１０は、ボールＢを打撃した場合、フェース基部１２に対して垂直方向よりもクラウン部側へのせん断方向に大きく変形する。これは、上述のように、あたかもフェース面２の摩擦力を小さくした場合と同様、ボールＢに作用するせん断力を小さくできる。これにより、ボールＢは高く打ち出され、かつバックスピン量が減少するため、吹け上がりを抑制でき飛距離を増大させることができる。
【００３５】
本実施形態の継ぎ部材１３は、トウ、ヒール方向にのびる複数個のリブ状体１４で構成されたものが例示されるが、これに代えて、またこれとともに打撃板１０の背面からフェース面２に対してほぼ垂直にのびる角柱体や円柱体などの柱状体を用いることもできる。
【００３６】
図９、図１０には本発明の他の実施形態として、ヘッド１の全体斜視図及びそのフェース部３の縦断面図がそれぞれ示されている。この実施形態では、フェース基部１２の前面が、凹部を有することなく平滑に形成されたものが例示される。また打撃板１０は、その前面が実質的にフェース面２の全域を形成するものが例示されている。継ぎ部材１３は、前記実施形態と同様にトウ、ヒール方向にのびるリブ状体１４の複数個で形成されたものが例示される。このような実施形態のヘッド１は、さらに広い範囲でせん断剛性低下部９を設けることができる。なお本実施形態や前記図１の実施形態において、打撃板１０とフェース基部１２との間の隙間ｊに、打撃板１０の上下せん断変位を妨げないゴムないし樹脂等の弾性材（図示せず）を配して前記隙間を埋めることも好ましく実施できる。これにより、ヘッド１に塗装等を施せば、従来のものと何ら遜色ない外観を持たせることができる。
【００３７】
さらに図１１には、継ぎ部材１３の他の実施形態が示される。本実施形態の継ぎ部材１３は、複数個の球体１６と、該複数個の球体１６を連結する弾性材からなる保持体１７とを含んで構成されたものが例示される。
【００３８】
前記球体１６は、硬質の材料により形成され、好ましくは金属材料ないしセラミックスなどで構成される。本実施形態では、玉軸受用の鋼球が用いられている。鋼球の外径Ｒは、打撃板１０とその背面側に位置するフェース基部１２（この例では底面１２Ａ１）との間隙に実質的に等しく設定されている。図示はしていないが、球体１６は、上下左右に例えば５mm程度の間隔をそれぞれ設けて格子状に配置されることが望ましい。また前記保持体１７は、本実施形態ではゴム材が用いられており、前記打撃板１０とフェース基部１２との間の間隙に満たされ複数個の球体１６を相互に連結保持している。
【００３９】
このような継ぎ部材１３は、打球時の垂直力に対して球体１６が大きな耐圧縮剛性を発揮する。これにより打撃板１０の垂直剛性を高く維持することができる。他方、打撃板１０は、球体１６とは点接触しているに過ぎず実質的にゴム材からなる保持体１６と接着されているため、上下方向のせん断力に対してはこの保持体１６の低いせん断剛性によって支配される。つまり、打撃板１０の垂直剛性よりも上下せん断剛性を小にできる。このような継ぎ部材１３は、例えばフェース基部１２の凹部１２Ａに先ず未加硫の液状ゴムを流し込み、しかる後、複数個の球体１６をその中に適宜間隔を設けて埋設して外側から打撃板１０で覆うとともに、前記液状ゴムを加硫することで容易に形成しうる。
【００４０】
以上本発明のいくつかの実施形態について詳述したが、本発明は、フェース部２の一部に、垂直剛性よりも上下せん断剛性が小さいせん断剛性低下部９が設けられていれば、その具体的な態様については上記実施形態に限定されることなく種々の形状で実現することができるのは言うまでもない。例えば、建造物に用いられる積層ゴムからなる免震支承の構造、即ち薄いゴムシートと鋼板とを積層した構造を用いることができる。この構造も、垂直荷重に対しては高い剛性を示す一方、せん断荷重に対しては剛性が低いものになる。
【実施例】
【００４１】
（実施例１）
図１に示したウッド型のゴルフクラブヘッドを試作した。Ｔｉ−６Ａｌ−４Ｖのチタン合金を用いて、図１２に示されるようにヘッド本体１１の主要部をなすヘッド基体１１ａを一体鋳造成形した。ヘッド基体１１ａは、ソール部５に開口部Ｏ１が設けられており、そこには別成形された同一材料のソール板（図示省略）を溶接により固着した。またヘッド基体１ａは、フェース部３に矩形状の凹部１２Ａが設けられており、かつその底面には開口部Ｏ２が設けられている。開口部Ｏ２は縦横それぞれ３０mmの正方形状とした。この開口部Ｏ２には、予め別成形した打撃ユニットＵを溶接により固着した。
【００４２】
打撃ユニットＵは、前記せん断剛性低下部９を構成することになる打撃板１０と、一端がこの打撃板１０の背面に連なるリブ状体１４からなる継ぎ部材１３と、前記リブ状体１４の他端が連なる基板１８とを一体に形成したものである。打撃ユニットＵはＴｉ−６Ａｌ−４Ｖの板材から機械加工した部品を溶接して作製した。また打撃板１０は厚さ２．０mmで３０mm角の正方形状で構成し、基板１８は厚さ３．０mmで３０mm角の正方形で構成した。またリブ状体１４はクラウンーソール方向に５mmピッチで６本設けた。リブ状体１４のリブ厚さｔは０．５mm、継ぎ長さＬは２mmとした。そして、図１に示される各隙間ｔ１、ｔ２、ｔ３及びｔ４を全て２mmとし、打撃ユニットＵの基板１８と開口部Ｏ２とを前記開口部Ｏ１から溶接した。しかる後、ソール板を開口部Ｏ１に溶接して図１のヘッドを得ることができた。
【００４３】
（実施例２）
図１１に示したウッド型のゴルフクラブヘッドを試作した。先ず、図１１に示した凹部１２Ａを有するヘッド本体１１が、Ｔｉ−６Ａｌ−４Ｖのチタン合金を用いて一体鋳造成形された。凹部は縦横いずれも３４mmとした。そして、前記凹部１２Ａに、日本ゼオン社製の液状ブタジエンゴム「ＰＯＬＹＯＩＬ１３０」１００重量部に対してアクリル酸亜鉛２０重量部とジクミルパーオキサイド１重量部とを加えた未加硫の液状ゴムを流し込むとともに、その中に外径２mmのクロム球（玉軸受用鋼球）を上下左右にほぼ５mmピッチで３６個格子状に位置決め配置した。しかる後、厚さ２．０mmかつ３０mm角のＴｉ−６Ａｌ−４Ｖからなる打撃板１０をその外側から押し付けて仮接着した。このとき、打撃板１０と凹部１２Ａの側面との間に上下左右それぞれ２mmの隙間が形成されるように打撃板１０を配置した。そして、１５０℃のオーブンで液状ゴムを３０分間加硫することにより、ヘッド１を製造し得た。
【図面の簡単な説明】
【００４４】
【図１】本発明の一実施形態を示すヘッドの基準状態の斜視図である。
【図２】その縦断面図である。
【図３】図２の要部拡大図である。
【図４】せん断剛性低下部の打球時の作用を説明する拡大図である。
【図５】本発明の一実施形態を示すヘッドの基準状態の斜視図である。
【図６】ボールとヘッドとの打球時の力を説明する略図である。
【図７】ボールに働く力と時間との関係を示すグラフである。
【図８】その作用を説明する略図である。
【図９】本発明の他の実施形態を示すヘッドの基準状態の斜視図である。
【図１０】そのフェース部の部分断面図である。
【図１１】本発明の他の実施形態を示すフェース部の部分断面図である。
【図１２】本発明の具体的な設計ないし製造方法を説明する分解斜視図である。
【符号の説明】
【００４５】
１  ゴルフクラブヘッド
２  フェース面
３  フェース部
４  クラウン部
５  ソール部
６  サイド部
７  ネック部
９  せん断剛性低下部
１０  打撃板
１１  ヘッド本体
１２  フェース基部
１２Ａ  フェース基部の凹部
１２Ｂ  フェース基部の縁部
１３  継ぎ部材
１４  リブ状体
【図１】
2005270321.tif 000003
【図２】
2005270321.tif 000004
【図３】
2005270321.tif 000005
【図４】
2005270321.tif 000006
【図５】
2005270321.tif 000007
【図６】
2005270321.tif 000008
【図７】
2005270321.tif 000009
【図８】
2005270321.tif 000010
【図９】
2005270321.tif 000011
【図１０】
2005270321.tif 000012
【図１１】
2005270321.tif 000013
【図１２】
2005270321.tif 000014